(57)【要約】【課題】抜き取り治具を用意することなく、必要時に簡単に端子を抜き取ることのできるコネクタを提供する。【解決手段】端子収容室１１内に挿入された端子１をランス１３により抜け止めするコネクタにおいて、コネクタハウジング１０内のランスの近傍にスライドスペース１４を形成し、このスライドスペース１４にスライド自在にランス解除部材３０を配設する。ランス解除部材３０は、後側の第１位置から前側の第２位置までスライドさせられることにより、ランス１３を、端子との係合を解除する位置まで変形させることができる。ランス解除部材３０はロック手段によって、通常時は第１位置に保持され、ロック手段が解除操作されることにより第１位置から第２位置へのスライドが許可される。【選択図】図４
2010097878.tif 000002
【特許請求の範囲】
【請求項１】
端子収容室を有する第１コネクタハウジングと、前記端子収容室内に該端子収容室の後端から挿入されることで、該端子収容室内に設けられた可撓性のランスにより抜け止め固定される端子と、からなるコネクタにおいて、
前記第１コネクタハウジング内のランスの近傍にスライドスペースが形成され、このスライドスペースに第１位置と第２位置との間でスライド自在にランス解除部材が配設され、該ランス解除部材は、前記第１位置から第２位置までスライドさせられることにより、前記ランスを、前記端子との係合を解除する位置まで変形させることができるものとして構成され、且つ、通常時は前記ランス解除部材を前記第１位置に保持し且つ解除操作されることにより前記ランス解除部材の前記第１位置から第２位置へのスライドを許可するロック手段が備えられていることを特徴とするコネクタ。
【請求項２】
請求項１に記載のコネクタであって、
前記第１コネクタハウジングに合体される第２コネクタハウジングを有し、該第１コネクタハウジングと第２コネクタハウジングとの間に、前記第１コネクタハウジングと第２コネクタハウジングとを仮係止状態に保つ仮係止手段と、前記第１コネクタハウジングと第２コネクタハウジングとを本係止状態に保つ本係止手段とが設けられる共に、前記第２コネクタハウジングと前記ランス解除部材との間に前記ロック手段が設けられ、前記第２コネクタハウジングを第１コネクタハウジングに対して前記仮係止状態に保ったとき前記ロック手段がロック解除状態となり、前記第２コネクタハウジングを第１コネクタハウジングに対して前記本係止状態に保ったとき前記ロック手段がロック状態となるように構成されていることを特徴とするコネクタ。
【請求項３】
請求項２に記載のコネクタであって、
前記第２コネクタハウジングに、該第２コネクタハウジングを第１コネクタハウジングに対して前記本係止状態に保ったとき、前記ランスによって抜け止めされている前記端子を更に二重に係止し、且つ、前記第２コネクタハウジングを第１コネクタハウジングに対して前記仮係止状態に保ったとき、前記端子に対する二重の係止を解除する二重係止部（２６）が設けられていることを特徴とするコネクタ。
【請求項４】
請求項２または３に記載のコネクタであって、
前記第１コネクタハウジングに複数の端子収容室が横一列に配列され、前記ランス解除部材が、前記横一列に配列された全端子収容室に対応する長さを有し全端子収容室のランスを一括して解除操作し得る解除バーと、該解除バーの両端に一体化されたフランジとから構成され、前記第１コネクタハウジングの両側壁に形成されたガイド溝に前記ランス解除部材のフランジがスライド自在に嵌め込まれ、該フランジと前記第２コネクタハウジング側の前記フランジに対応する箇所に、前記ロック手段として互いに係合し得る凹部と凸部が設けられていることを特徴とするコネクタ。
【発明の詳細な説明】
【技術分野】
【０００１】
本発明は、端子の差し間違いなどによる端子の抜き取り作業を簡単にできるようにしたコネクタに関するものである。
【背景技術】
【０００２】
図５は、例えば、特許文献１に記載のコネクタの断面図である。
【０００３】
図５に示すように、コネクタは一般に、端子収容室１０２を有するコネクタハウジング１０１と、端子収容室１０２内に挿入される端子１１０とから構成されている。各端子収容室１０２の内部には可撓性のランス１０５が設けられており、端子１１０を後方から端子収容室１０２内に挿入すると、端子１１０はランス１０５を押し上げつつ所定位置まで達し、所定位置まで達した段階でランス１０５が元の位置に復元することにより、端子１１０はランス１０５によって後方への抜けを阻止される。
【０００４】
ところで、端子の差し間違いなどが発生した場合には、端子１１０を抜き取る必要が生じる。その場合は、コネクタハウジング１０１の前端壁に設けた孔などから抜き取り治具１２０を挿入して、ランス１０５を強制的に端子１１０との係合を解除し得る位置まで変形させ、その状態で端子１１０を後方に抜き取るようにしているのが一般的である。
【特許文献１】特開２００２−２５６７６号公報
【発明の開示】
【発明が解決しようとする課題】
【０００５】
しかし、抜き取り治具を使う方法は、端子のサイズやコネクタ毎に専用の抜き治具が必要であり費用が嵩む上、作業に慣れが必要であり作業性が悪いという問題があった。
【０００６】
本発明は、上記事情を考慮し、抜き取り治具を用意することなく、必要時に簡単に端子を抜き取ることのできるコネクタを提供することを目的とする。
【課題を解決するための手段】
【０００７】
請求項１の発明は、端子収容室を有する第１コネクタハウジングと、前記端子収容室内に該端子収容室の後端から挿入されることで、該端子収容室内に設けられた可撓性のランスにより抜け止め固定される端子と、からなるコネクタにおいて、前記第１コネクタハウジング内のランスの近傍にスライドスペースが形成され、このスライドスペースに第１位置と第２位置との間でスライド自在にランス解除部材が配設され、該ランス解除部材は、前記第１位置から第２位置までスライドさせられることにより、前記ランスを、前記端子との係合を解除する位置まで変形させることができるものとして構成され、且つ、通常時は前記ランス解除部材を前記第１位置に保持し且つ解除操作されることにより前記ランス解除部材の前記第１位置から第２位置へのスライドを許可するロック手段が備えられていることを特徴とする。
【０００８】
請求項２の発明は、請求項１に記載のコネクタであって、前記第１コネクタハウジングに合体される第２コネクタハウジングを有し、該第１コネクタハウジングと第２コネクタハウジングとの間に、前記第１コネクタハウジングと第２コネクタハウジングとを仮係止状態に保つ仮係止手段と、前記第１コネクタハウジングと第２コネクタハウジングとを本係止状態に保つ本係止手段とが設けられる共に、前記第２コネクタハウジングと前記ランス解除部材との間に前記ロック手段が設けられ、前記第２コネクタハウジングを第１コネクタハウジングに対して前記仮係止状態に保ったとき前記ロック手段がロック解除状態となり、前記第２コネクタハウジングを第１コネクタハウジングに対して前記本係止状態に保ったとき前記ロック手段がロック状態となるように構成されていることを特徴とする。
【０００９】
請求項３の発明は、請求項２に記載のコネクタであって、前記第２コネクタハウジングに、該第２コネクタハウジングを第１コネクタハウジングに対して前記本係止状態に保ったとき、前記ランスによって抜け止めされている前記端子を更に二重に係止し、且つ、前記第２コネクタハウジングを第１コネクタハウジングに対して前記仮係止状態に保ったとき、前記端子に対する二重の係止を解除する二重係止部が設けられていることを特徴とする。
【００１０】
請求項４の発明は、請求項２または３に記載のコネクタであって、前記第１コネクタハウジングに複数の端子収容室が横一列に配列され、前記ランス解除部材が、前記横一列に配列された全端子収容室に対応する長さを有し全端子収容室のランスを一括して解除操作し得る解除バーと、該解除バーの両端に一体化されたフランジとから構成され、前記第１コネクタハウジングの両側壁に形成されたガイド溝に前記ランス解除部材のフランジがスライド自在に嵌め込まれ、該フランジと前記第２コネクタハウジング側の前記フランジに対応する箇所に、前記ロック手段として互いに係合し得る凹部と凸部が設けられていることを特徴とする。
【発明の効果】
【００１１】
請求項１の発明によれば、コネクタハウジングにランス解除部材を装備しておき、必要時には、このランス解除部材のロックを外して、ランス解除部材を第１位置から第２位置までスライドさせることにより、端子を係止しているランスを、端子との係合を解除する位置まで変形させることができるようにしているので、端子の差し間違いなどで、いったん挿入した端子を抜く必要が生じた場合にも、簡単に端子の抜き取り作業を実施することができる。特にコネクタハウジングに専用のランス解除部材を最初から装備しているので、別に端子のサイズやコネクタ毎に抜き取り治具を用意しておく必要がなくなり、コストを安くすませることができると共に、作業もやりやすくなる。
【００１２】
請求項２の発明によれば、第１、第２のコネクタハウジングを仮係止状態に保つことで、ランス解除部材に対するロックを解除することができるので、その状態で、ランス解除部材を第１位置から第２位置までスライドさせてランスを変形させ、端子の係止を解除して端子を抜くことができる。また、第１、第２のコネクタハウジングを本係止状態に保った際には、ロック手段がランス解除部材を第１位置に固定するので、ランス解除部材を誤操作するおそれがない。
【００１３】
請求項３の発明によれば、第１、第２のコネクタハウジングを仮係止状態から本係止状態にした際に、二重係止部が端子をランスと共に二重係止するので、より確実に端子の抜けを防ぐことができる。
【００１４】
請求項４の発明によれば、ランス解除部材を第１位置から第２位置にスライドさせることにより、ランス解除部材に設けた解除バーが、一括して全ての端子収容室のランスを係止解除位置に変形させるので、ランス解除部材を解除位置に操作しさえすれば、どの端子収容室に収容された端子も自由に抜くことができる。また、ロック手段としての凹部と凸部を、解除バーの両端に設けたフランジと第２コネクタハウジング側のフランジに対応する箇所に設けているので、ロック手段を設けることによって端子収容室が邪魔されることがない。
【発明を実施するための最良の形態】
【００１５】
以下、本発明の実施形態を図面を参照して説明する。
【００１６】
図１は実施形態のコネクタを構成する第１コネクタハウジングと第２コネクタハウジングとが仮係止位置にあるときの状態を示す図で、図１（ａ）は側面図、図１（ｂ）は図１（ａ）のＩｂ−Ｉｂ矢視断面図、図２は第１コネクタハウジングと第２コネクタハウジングとが本係止位置にあるときの状態を示す図で、図２（ａ）は側面図、図２（ｂ）は図２（ａ）のＩＩｂ−ＩＩｂ矢視断面図、図３は実施形態のコネクタに使用するランス解除部材の構成を示す斜視図である。また、図４（ａ）は第１コネクタハウジングと第２コネクタハウジングとが本係止位置にあるときの各部の状態を示すコネクタの側断面図、図４（ｂ）は図１に示すように第１コネクタハウジングと第２コネクタハウジングとが仮係止位置にあるときにランス解除部材を第２位置にスライドさせてランスを変形させた状態を示すコネクタの側断面図である。
【００１７】
図１および図２に示すように、実施形態のコネクタは、合成樹脂製の第１コネクタハウジング１０と、この第１コネクタハウジング１０の上側に積層した状態で合体される合成樹脂製の第２コネクタハウジング２０と、第１コネクタハウジング１０に装備された合成樹脂製のランス解除部材３０と、第１コネクタハウジング１０の内部に収容された端子１（図４参照）とから構成されている。
【００１８】
第１コネクタハウジング１０と第２コネクタハウジング２０の後部両側部には、第１コネクタハウジング１０と第２コネクタハウジング２０をロックするためのロック機構４０が設けられている。このロック機構４０は、第１コネクタハウジング１０と第２コネクタハウジング２０のうちの一方側に設けられたロック凸部４１と他方側に設けられた２つのロック凹部４２、４３とからなり、ロック凸部４１とロック凹部４２、４３の係合位置により、第１コネクタハウジング１０と第２コネクタハウジング２０を完全に合体させた本係止位置（図２の位置）と、途中まで合体させた仮係止位置（図１の位置）に選択的に保てるようになっている。
【００１９】
つまり、仮係止位置に保ったときには、図１に示すように、第２コネクタハウジング２０が第１コネクタハウジング１０から多少上に持ち上がった状態となる。また、本係止位置に保ったときには、図２に示すように、第２コネクタハウジング２０が第１コネクタハウジング１０の上面に載った状態となる。
【００２０】
図示例において、仮係止状態は、第２コネクタハウジング２０のロック凸部４１が第１コネクタハウジング１０の上側のロック凹部４３に係合することによって保たれる。また、本係止状態は、第２コネクタハウジング２０のロック凸部４１が第１コネクタハウジング１０の下側のロック凹部４２に係合することによって保たれる。従って、ロック凸部４１と上側のロック凹部４３が仮係止手段に相当し、ロック凸部４１と下側のロック凹部４２が本係止手段に相当する。
【００２１】
第１コネクタハウジング１０には、図４に示すように、前後方向に沿って端子収容室１１が形成され、端子収容室１１の天井壁には上下方向に撓み可能な可撓性のランス１３が設けられている。ランス１３は、後端が端子収容室１１の壁に結合され、前端が自由端として斜め前方に延びる片持バネ状のものとして構成されている。そして、端子収容室１１に後方から端子１を挿入すると、端子１がランス１３を押し上げて所定位置まで到達し、所定位置まで達した段階でランス１３が復元して、ランス１３の前端が端子１の段部２に係合することにより、端子１を後方へ抜けないように固定することができるようになっている。
【００２２】
端子収容室１１が複数ある場合、端子収容室１１は第１コネクタハウジング１０の左右方向に横一列に配列されており、各端子収容室１１にそれぞれランス１３が設けられている。端子収容室１１の前端は、第１コネクタハウジング１０の前端壁で行き止まりになっており、その前端壁に形成した差込孔１２から相手端子を端子収容室１１内に差し込めるようになっている。
【００２３】
また、この第１コネクタハウジング１０には、ランス１３の近傍に位置させて、前後方向に長い溝状のスライドスペース１４が形成されている。このスライドスペース１４には、後方の第１位置と前方の第２位置との間で、図１中の矢印Ａの方向にスライドできるようにランス解除部材３０の解除バー３１が配設されている。
【００２４】
ランス解除部材３０は、図４（ｂ）の矢印Ｂで示すように、第１位置から第２位置までスライドさせられることにより、ランス１３を、端子１との係合を解除する位置まで変形させることができるものとして構成されており、通常時は、ロック手段により第１位置に保持され、ロック手段によるロックが解除されることにより第１位置から第２位置へのスライドが許可されるようになっている。
【００２５】
ランス解除部材３０は、図３に示すように、中央の解除バー３１と、解除バー３１の両端に一体化された矩形状のフランジ３２とから構成され、両フランジ３２の上端縁にロック手段の一方の要素である凹部３３が設けられている。解除バー３１は、前半部上面が傾斜面３１ａとなった断面クサビ形をなしており、ランス解除部材３０が第１位置から第２位置までスライドさせられた際に、ランス１３を滑らかに持ち上げられるようになっている。なお、横一列に複数の端子収容室１１が配列されている場合、ランス解除部材３０の解除バー３１は、全部の端子収容室１１に対応する長さに形成され、全部の端子収容室１１のランス１３を一括して解除操作し得るように構成されている。
【００２６】
また、ランス解除部材３０を第１位置に保持するためのロック手段のもう一方の要素は、第２コネクタハウジング２０に凸部２３として設けられている。この凸部２３は、図１に示すように、第１コネクタハウジング１０と第２コネクタハウジング２０とが仮係止位置にあるときは、ランス解除部材３０の凹部３３に対して係合せずに離間した位置（ロック解除位置）にあり、図２に示すように、第１コネクタハウジング１０と第２コネクタハウジング２０が本係止位置にあるときは、ランス解除部材３０の凹部３３に対して係合し、ランス解除部材３０を前方へ移動しないようにロックする。
【００２７】
また、第２コネクタハウジング２０には二重係止部２６が設けられており、図４（ａ）に示すように、第２コネクタハウジング２０を第１コネクタハウジング１０に対して本係止状態に保ったときに、その二重係止部２６が、ランス１３によって抜け止めされている端子１の後側の段部３に係合して端子１を二重に係止し、且つ、図４（ｂ）に示すように、第２コネクタハウジング２０を第１コネクタハウジング１０に対して仮係止状態に保ったときに、端子１に対して上方に離れて位置することで、端子１に対する二重係止を解除することができるようになっている。
【００２８】
また、第１コネクタハウジング１０には、その両側壁にガイド溝１５が形成されており、それらのガイド溝１５にランス解除部材３０のフランジ３２がスライド自在に嵌め込まれている。そして、フランジ３２に形成された凹部３３に対応する第２コネクタハウジング２０の両側壁に、もう一方のロック手段の要素である凸部２３が設けられている。
【００２９】
次に組立手順について述べる。
【００３０】
このコネクタを組み立てる場合は、まず、図１に示すように、第１コネクタハウジング１０の上側に第２コネクタハウジング２０を載せて、第２コネクタハウジング２０側のロック凸部４１を、第１コネクタハウジング１０側の２つのロック凹部４２、４３のうちの上側のロック凹部４３に係合させることにより、第１コネクタハウジング１０と第２コネクタハウジング２０を仮係止位置に保つ。
【００３１】
そして、その状態で、第１コネクタハウジング１０の端子収容室１１に後方から端子１を挿入する。端子１を挿入すると、端子１に押されてランス１３が上方に撓み変形し端子１の通過を許す。更に端子１を挿入すると、端子１が端子収容室１１の前端に到達すると共に、ランス１３が撓み位置から復元して、ランス１３の先端が端子１の段部２に係合する。これにより、端子１が後方へ抜け止めされる。
【００３２】
この組立途中の段階で端子１の差し込み間違いに気づいた場合は、図４（ｂ）に示すように、ランス解除部材３０を矢印Ｂのように前方にスライドさせる。すると、ランス解除部材３０の解除バー３１によって、ランス１３を端子１との係合を解除する上方位置まで変形させることができるので、そのまま端子１を矢印Ｃのように後方に引き抜くことにより、端子１を取り外して、改めて入れ直すことができる。
【００３３】
端子１を挿入したら、第１コネクタハウジング１０に対して第２コネクタハウジング２０を押し込むことにより、第２コネクタハウジング２０側のロック凸部４１を第１コネクタハウジング１０側の２つのロック凹部４２、４３のうちの下側のロック凹部４３に係合させる。そうすると、第１コネクタハウジング１０と第２コネクタハウジング２０とが本係止され、ランス解除部材３０の凹部３３に第２コネクタハウジング２０の凸部２３が嵌まることで、ランス解除部材３０が後側の第１位置にロックされる。また、第２コネクタハウジング２０の二重係止部２６が端子１の後側の段部３に係合することで、端子１がランス１３による係止と共に二重係止される。これにより、コネクタが完成する。
【００３４】
また、このように本係止した後で端子１を外す必要が生じた場合は、まず、図１に示すように、第１コネクタハウジング１０に対して第２コネクタハウジング２０を仮係止位置に戻す。即ち、第１コネクタハウジング１０に対して第２コネクタハウジング２０を上に持ち上げ、第２コネクタハウジング２０側のロック凸部４１の係合位置を、第１コネクタハウジング１０の下側のロック凹部４２から、上側のロック凹部４３に切り替える。そうすると、第２コネクタハウジング２０の凸部２３がランス解除部材３０の凹部３３から抜けることにより、ランス解除部材３０を自由にスライドさせることができるようになる。また、二重係止部２６が端子１の段部３から離れることにより二重係止が解除される。
【００３５】
従って、この状態で、図４（ｂ）に示すように、ランス解除部材３０を矢印Ｂのように前方にスライドさせることにより、ランス解除部材３０の解除バー３１によってランス１３を端子１との係合を解除する上方位置まで変形させることができるので、そのまま端子１を矢印Ｃのように後方に引き抜くことにより、端子１を取り外すことができる。
【００３６】
以上の説明のように、本実施形態のコネクタによれば、第１コネクタハウジング１０にランス解除部材３０を装備しておき、必要時には、このランス解除部材３０のロックを外して、ランス解除部材３０を第１位置から第２位置までスライドさせることにより、端子１を係止しているランス１３を、端子１との係合を解除する位置まで変形させることができるようにしているので、端子１の差し間違いなどで、いったん挿入した端子１を抜く必要が生じた場合にも、簡単に端子１の抜き取り作業を実施することができる。特に第１コネクタハウジング１０に専用のランス解除部材３０を最初から装備しているので、別に端子のサイズやコネクタ毎に抜き取り治具を用意しておく必要がなくなり、コストを安くすませることができるし、作業もやりやすくなる。
【００３７】
また、本実施形態のコネクタにおいては、第１、第２コネクタハウジング１０、２０を仮係止状態に保つことで、ランス解除部材３０に対するロックを解除することができるようにしているので、その状態で、ランス解除部材３０を第１位置から第２位置までスライドさせてランス１３を変形させることにより、端子１の係止を解除して端子１を抜くことができる。また、第１、第２コネクタハウジング１０、２０を本係止状態に保った際には、ロック手段である凹部３３と凸部２３が互いに係合することによって、ランス解除部材３０を第１位置に固定するので、ランス解除部材３０を誤って操作するおそれがない。
【００３８】
また、本実施形態のコネクタにおいては、第１、第２コネクタハウジング１０、２０を仮係止状態から本係止状態にした際に、二重係止部２６が端子１をランス１３と共に二重係止するようにしているので、より確実に端子１の抜けを防ぐことができる。
【００３９】
また、複数の端子収容室１１が横一列に配列されている場合でも、本実施形態のコネクタによれば、ランス解除部材３０を第１位置から第２位置にスライドさせることにより、ランス解除部材３０に設けた解除バー３１が、一括して全ての端子収容室１１のランス１３を係止解除位置に変形させるので、ランス解除部材３０を解除位置に操作しさえすれば、どの端子収容室１１に収容された端子１も自由に抜くことができる。また、ロック手段としての凹部３３と凸部２３を、解除バー３１の両端に設けたフランジ３２と第２コネクタハウジング２０の両側壁に設けているので、ロック手段を設けることによって端子収容室１１が邪魔されるようなことがなく、設計上の不利を生じることがない。
【００４０】
なお、上記実施形態においては、第２コネクタハウジング２０に端子が収容されているか否かは特に言及しなかったが、第２コネクタハウジング２０に端子が収容されていても勿論よいし、第２コネクタハウジング２０の代わりに、ランス解除部材３０をロックする機能だけを備えた単なるロック部材を設けてもよい。また、ランス解除部材３０をロックするロック手段は、第１コネクタハウジング１０側に設けることも可能である。
【００４１】
また、上記実施形態では、ロック機構を構成するロック凸部４１が第２コネクタハウジング２０側に設けられ、ロック凹部４２、４３が第２コネクタハウジング１０側に設けられている場合を示したが、逆に設けられていてもよいし、仮係止と本係止を区別して行えるものであれば、どのような手段を設けてもよい。
【００４２】
また、ランス解除部材３０をロックするためのロック手段（凹部３３と凸部２３）についても、凹部３３と凸部２３を逆に設けることを含めて、種々変更可能であり、どのようにロックするものを設けてもよい。
【図面の簡単な説明】
【００４３】
【図１】本発明の実施形態のコネクタを構成する第１コネクタハウジングと第２コネクタハウジングとが仮係止位置あるときの状態を示す図で、（ａ）は側面図、（ｂ）は（ａ）のＩｂ−Ｉｂ矢視断面図である。
【図２】前記第１コネクタハウジングと第２コネクタハウジングとが本係止位置にあるときの状態を示す図で、（ａ）は側面図、（ｂ）は（ａ）のＩＩｂ−ＩＩｂ矢視断面図である。
【図３】同実施形態のコネクタに使用するランス解除部材の構成を示す斜視図である。
【図４】前記第１コネクタハウジングと第２コネクタハウジングとが本係止位置にあるときの各部の状態を示すコネクタの側断面図、（ｂ）は図１に示すように第１コネクタハウジングと第２コネクタハウジングとが仮係止位置にあるときにランス解除部材を第２位置にスライドさせてランスを変形させた状態を示すコネクタの側断面図である。
【図５】従来のコネクタの断面図である。
【符号の説明】
【００４４】
１  端子
１０  第１コネクタハウジング
１１  端子収容室
１３  ランス
１４  スライドスペース
１５  ガイド溝
２０  第２コネクタハウジング
２３  凸部（ロック手段）
２６  二重係止部
３０  ランス解除部材
３１  解除バー
３２  フランジ
３３  凹部（ロック手段）
４１  ロック凸部（仮係止手段、本係止手段）
４２  ロック凹部（本係止手段）
４３  ロック凹部（仮係止手段）
【図１】
2010097878.tif 000003
【図２】
2010097878.tif 000004
【図３】
2010097878.tif 000005
【図４】
2010097878.tif 000006
【図５】
2010097878.tif 000007